(57)【要約】  特に操作エレメント（３）を押す、操作エレメント（３）を触る、操作エレメント（３）を回す、かつ／または操作エレメント（３）を引くことにより自動車（１）の機能を操作するための、自動車（１）のための操作エレメント（３）であって、操作エレメント（３）に、操作エレメント（３）を照明するための照明装置（２１）が対応配置されている形式のものにおいて、操作エレメント（３）に、操作エレメント（３）の使用者（４）の接近を検出するための近接センサ（２２）と、近接センサ（２２）の出力信号に応じて操作エレメント（３）の照明を調節するための照明制御装置（２０）とが対応配置されている。
2008513268.tif 000002
【特許請求の範囲】
【請求項１】
特に操作エレメント（３，１０，１１，１２，１３，１４，１５，１６，１７，１８，３０，４１，４３，５０，６０，６１，６５，７０，７２，９０，９２）を押す、操作エレメント（３，１０，１１，１２，１３，１４，１５，１６，１７，１８，３０，４１，４３，５０，６０，６１，６５，７０，７２，９０，９２）を触る、操作エレメント（３，１０，１１，１２，１３，１４，１５，１６，１７，１８，３０，４１，４３，５０，６０，６１，６５，７０，７２，９０，９２）を回す、かつ／または操作エレメント（３，１０，１１，１２，１３，１４，１５，１６，１７，１８，３０，４１，４３，５０，６０，６１，６５，７０，７２，９０，９２）を引くことにより自動車（１）の機能を操作するための、自動車（１）のための操作エレメント（３，１０，１１，１２，１３，１４，１５，１６，１７，１８，３０，４１，４３，５０，６０，６１，６５，７０，７２，９０，９２）であって、
操作エレメント（３，１０，１１，１２，１３，１４，１５，１６，１７，１８，３０，４１，４３，５０，６０，６１，６５，７０，７２，９０，９２）に、操作エレメント（３，１０，１１，１２，１３，１４，１５，１６，１７，１８，３０，４１，４３，５０，６０，６１，６５，７０，７２，９０，９２）を照明するための照明装置（２１）が対応配置されている形式のものにおいて、
操作エレメント（３，１０，１１，１２，１３，１４，１５，１６，１７，１８，３０，４１，４３，５０，６０，６１，６５，７０，７２，９０，９２）に、操作エレメント（３，１０，１１，１２，１３，１４，１５，１６，１７，１８，３０，４１，４３，５０，６０，６１，６５，７０，７２，９０，９２）の使用者（４）の接近を検出するための近接センサ（２２）と、該近接センサ（２２）の出力信号に応じて操作エレメント（３，１０，１１，１２，１３，１４，１５，１６，１７，１８，３０，４１，４３，５０，６０，６１，６５，７０，７２，９０，９２）の照明を調節するための照明制御装置（２０，２９，４４，５１，６２，７１，９１，９３，１２０）とが対応配置されていることを特徴とする、自動車のための操作エレメント。
【請求項２】
近接センサ（２２）と使用者（４）との間の距離（ｄ）が距離制限値（ｄＧ）を下回ることによって、照明装置（２１）が、照明制御装置（２０，２９，４４，４５，５１，６２，７１，９１，９３，１２０）によってスイッチオンされるようになっている、請求項１記載の操作エレメント。
【請求項３】
近接センサ（２２）と使用者（４）との間の距離（ｄ）が距離制限値（ｄＧ）を下回ることによって、照明装置（２１）が、照明制御装置（２０，２９，４４，４５，５１，６２，７１，９１，９３，１２０）によって高い光送出量に調節されるようになっている、請求項１または２記載の操作エレメント。
【請求項４】
距離制限値（ｄＧ）が、ほぼ５ｃｍから１５ｃｍの間である、請求項２または３記載の操作エレメント。
【請求項５】
操作エレメントが、回転つまみ（１０）を備えている、請求項１から４までのいずれか１項記載の操作エレメント。
【請求項６】
操作エレメントが、キー（１１，１２，１３，１４，１５，１６，１７，１８）を備えている、請求項１から５までのいずれか１項記載の操作エレメント。
【請求項７】
操作エレメントが、パワーウインド（４１）を備えている、請求項１から６までのいずれか１項記載の操作エレメント。
【請求項８】
操作エレメントが、ドアロック解除部（４３）を備えている、請求項１から７までのいずれか１項記載の操作エレメント。
【請求項９】
操作エレメントが、ドアグリップを備えている、請求項１から８までのいずれか１項記載の操作エレメント。
【請求項１０】
操作エレメントが、安全ベルトロック解除部（６１）を備えている、請求項１から９までのいずれか１項記載の操作エレメント。
【請求項１１】
操作エレメントが、安全ベルトバックル（６０，６５）を備えている、請求項１から１０までのいずれか１項記載の操作エレメント。
【請求項１２】
操作エレメントが、ペダル（７０，７２）を備えている、請求項１から１１までのいずれか１項記載の操作エレメント。
【請求項１３】
操作エレメントが、イグニションスイッチ（５０）を備えている、請求項１から１２までのいずれか１項記載の操作エレメント。
【請求項１４】
自動車（１）において、
請求項１から１３までのいずれか１項記載の操作エレメント（３，１０，１１，１２，１３，１４，１５，１６，１７，１８，３０，４１，４３，５０，６０，６１，６５，７０，７２，９０，９２）を備えていることを特徴とする、自動車。
【請求項１５】
照明装置（２１）が、自動車（１）の運転状況に応じて、照明制御装置（２０，２９，４４，４５，５１，６２，７１，９１，９３，１２０）によって制御されるようになっている、請求項１４記載の自動車。
【請求項１６】
操作エレメント（３，１０，１１，１２，１３，１４，１５，１６，１７，１８，３０，４１，４３，５０，６０，６１，６５，７０，７２，９０，９２）の操作が許容される場合に、近接センサ（２２）と使用者（４）との間の距離（ｄ）が距離制限値（ｄＧ）を下回ることによって、照明装置（２１）が、照明制御装置（２０，２９，４４，４５，５１，６２，７１，９１，９３，１２０）によって調節されるようになっている、請求項１４または１５記載の自動車。
【請求項１７】
操作エレメント（３，１０，１１，１２，１３，１４，１５，１６，１７，１８，３０，４１，４３，５０，６０，６１，６５，７０，７２，９０，９２）の操作が許容される場合に、近接センサ（２２）と使用者（４）との間の距離（ｄ）が距離制限値（ｄＧ）を下回ることによって、照明装置（２１）が、照明制御装置（２０，２９，４４，４５，５１，６２，７１，９１，９３，１２０）によって高い光送出量に調節されるようになっている、請求項１４から１６までのいずれか１項記載の自動車。
【請求項１８】
照明装置（２１）によって、自動車（１）の運転状況に応じて、異なる少なくとも２つの色の光が形成されるようになっている、請求項１４から１７までのいずれか１項記載の自動車。
【請求項１９】
操作エレメント（３，１０，１１，１２，１３，１４，１５，１６，１７，１８）を示唆するための指示照明装置（５）と、該指示照明装置（５）に対する使用者（４）の接近を検出するための、指示照明装置（５）に対応配置された近接センサ（６）とが設けられており、指示照明装置（５）が、該指示照明装置（５）に対応配置された近接センサ（６）の出力信号に応じて制御されるようになっている、請求項１４から１８までのいずれか１項記載の自動車。
【請求項２０】
指示照明装置（５）または指示照明装置（５）の一部が、操作エレメント（３，１０，１１，１２，１３，１４，１５，１６，１７，１８）から約１０ｃｍ以上離れて配置されている、請求項１９記載の自動車。
【請求項２１】
指示照明装置（５）に対応配置された近接センサ（２２）が、操作エレメント（３，１０，１１，１２，１３，１４，１５，１６，１７，１８）から約１０ｃｍ以上離れて配置されている、請求項１９または２０記載の自動車。
【発明の詳細な説明】
【技術分野】
【０００１】
本発明は、特に操作エレメントを押す、操作エレメントを触る、操作エレメントを回す、かつ／または操作エレメントを引くことにより自動車の機能を操作するための、自動車のための操作エレメントであって、操作エレメントに、操作エレメントを照明するための照明装置が対応配置されている形式のものに関する。
【０００２】
自動車の機能が増加するにつれ、様々な機能のための表示装置および操作エレメントを、自動車の運転手にとって特に簡単に認識するか、もしくは操作することのできるように構成する問題が生じる。
【０００３】
従来技術から、この問題を解決する様々な構成が公知である。たとえば国際公開第００／２１９７５号パンフレットによれば、ディスプレイまたは表示領域が複数部分から形成されており、この場合表示領域の一部が情報パネルを成し、情報パネルに、選択されたメニューもしくは選択された機能の情報ならびに場合によっては別の機能群の重要な情報が再現される。表示領域の残りの部分に、機能表示および／または状態表示が判りやすく形成され、機能表示および／または状態表示は、各操作エレメントに割り当てられていて、それも有利には選択メニューで操作のための各機能が割り当てられた操作エレメントに割り当てられている。さらに残りのディスプレイ領域に表示され、かつ操作エレメントに割り当てられた機能に、上位のメニューへの戻し機能が割り当てられている。
【０００４】
ドイツ連邦共和国特許出願公開第１０１３９６９３号明細書から、回転つまみが公知である。ドイツ連邦共和国特許出願公開第１０１３９６９３号明細書によれば、車両の最新電子装置において、漸次増加するオプションを有する追加的な機能が提供されており、所属の操作エレメントのための構造スペースの制限によって多機能操作エレメントが形成され、多機能操作エレメントによって、接続された装置の様々な機能が操作される。たとえば欧州特許第０３６６１３２号明細書から、自動車のための多機能操作装置が公知であり、ここでは機能群の選択および個別機能の選択が回転スイッチ（ダイヤル）によって行われ、またここではＥＮＴＥＲ機能が作動可能であり、この場合一方向および双方向で機能する回転スイッチは、メニュー選択および個別機能選択のために役立つ。回転スイッチは、係止位置を有しており、係止位置に、メニューまたは個別機能が割り当てられており、この場合ＥＮＴＥＲ機能は、回転スイッチの軸方向運動によって作動可能である。そのような多機能操作装置は、たとえばナビゲーションシステムの目標入力のために役立つ。このために表示ユニットに、英数字キーが形成されており、英数字キーにおいて、使用者は、回転スイッチの双方向運動によって前進および後退を行うことができる。カーソルが所望の英数字記号上に存在する場合、回転スイッチの軸方向運動によって選択して、ナビゲーションシステムに引き渡すことができる。さらにドイツ連邦共和国特許出願公開第１９９４１９６０号明細書から、操作エレメントを、縦軸線を中心に双方向で回転するシリンダとして形成することが公知であり、シリンダは、弾性的に縦軸線に対して可動である。
【０００５】
快適に操作するため、かつ操作の感覚を判りやすくするために、ドイツ連邦共和国特許出願公開第１０１３９６９３号明細書には、車両部品表面に対して実質的に平行に延びる回転軸線を有する双方向性の回転エレメントを形成することが提案されている。双方向回転エレメントによって、機能群および／またはメニュー面における機能の双方向の呼び出しおよび／または選択が行われる。メニュー面の選択は、第２の操作装置を介して行われる。この場合第２の操作装置は、双方向回転エレメントの回転軸線に対して平行に双方向回転エレメントを移動することによって実現することができる。別の構成によれば、双方向回転エレメントは、第２の操作装置を成すために回転軸線の方向で揺動アーム（Wippe；てこ腕）として形成されている。別の構成によれば、第２の操作装置が設けられており、第２の操作装置は、２つの操作エレメントを備えており、操作エレメントは、有利には双方向回転エレメントの回転軸線に対して平行に作動可能である。第２の操作装置は、双方向回転エレメントに配置されているか、または少なくとも部分的に双方向回転エレメント内に配置されていて、かつ回転エレメントと共に構造ユニットを形成する。さらに表示装置において２方向で呼び出す、かつ／または選択するための双方向回転エレメントおよび別の２方向で選択するための第２の操作装置は、有利には双方向回転エレメントの選択方向に対して垂直に形成されている。
【０００６】
ドイツ連邦共和国特許出願公開第３１０４３８４号明細書から、表示装置を備えた電気ユニットのスイッチが公知であり、ここではカウンタが、自由にアプローチ可能な回転つまみの手動操作に起因する切換状態を占め、カウンタ状態に応じて、定置の、電子作動式に形成された表示領域に供給され、この場合表示領域と回転つまみとは、互いに密に相並んで配置されていて、かつ回転つまみを支持する切換軸によって作動可能な切換コンタクトが、カウンタと協働する。この場合回転つまみおよび表示装置を同時に観察することができる。なぜならば電子式の表示領域は、回転つまみの正面−端面に組み込まれているからであり、この場合表示領域は、回転つまみを超えて軸方向後方に延びる結合部材によって支持されており、回転つまみの正面側は実質的に周囲にわたって透明である。
【０００７】
欧州特許第０３２９９２０号明細書から、ケーシングと、ケーシング内を軸方向可動に支承されたスイッチ部分とを備えたプッシュボタンスイッチが公知である。操作機構として役立つプッシュボタンキャップは、スイッチ部分に係止する環状の突出部を備えたベース部分と、取り外し可能な、少なくとも部分的に透光性の保護キャップとを有している。ベース部分と保護キャップとによって制限された中空室に、少なくとも１つの発光ダイオードおよび／または液晶表示装置を有するＬＥＤ−またはＬＣＤ−表示エレメントが配置されており、この場合ＬＥＤ−またはＬＣＤ−表示エレメントは、実質的にプッシュボタンキャップの移動方向に対して直角のプレート小片によって形成されており、電気的な接続が設けられている。
【０００８】
さらに回転つまみは、欧州特許第０７７１６８１号明細書から公知である。
【０００９】
本発明の課題は、自動車の操作を改善することである。
【００１０】
この課題を解決するための装置によれば、特に操作エレメントを押す、操作エレメントを触る、操作エレメントを回す、かつ／または操作エレメントを引くことによって、自動車の機能を操作するための、自動車のための操作エレメントにおいて、操作エレメントに、操作エレメントを照明するための照明装置と、特に操作エレメントもしくは近接センサに対する操作エレメントの使用者の接近を検出するための近接センサと、近接センサの出発信号に応じて操作エレメントの照明を調節するための照明制御装置とが対応配置されている。
【００１１】
本発明の有利な実施形態によれば、近接センサと使用者との間の距離が距離制限値を下回ることによって、照明装置は、照明制御装置によってスイッチオン可能である。近接センサと使用者との間の距離が距離制限値よりも大きくなると、本発明の別の有利な実施形態によれば、照明装置がスイッチオフされる。好ましくはこのことは、有利には１ｓ〜１０ｓの待機時間が経過してはじめて行われる。
【００１２】
本発明の有利な実施形態では、近接センサと使用者との間の距離が距離制限値を下回ることによって、照明装置は、照明制御装置によって比較的高い光送出量に調節可能である。したがって照明装置は、たとえばスイッチオン状態で弱く照明するようにすることができる。使用者が近接センサに接近して、距離制限値を下回ると、照明装置は、照明制御装置による適当な操作によって、比較的明るく照明するようにすることができる。近接センサと使用者との間の距離が距離制限値を上回ると、本発明の別の有利な実施形態によれば、照明装置は、以前の低減された光送出量に調節される。好ましくはこのことは、有利には１ｓ〜１０ｓの待機時間が経過してはじめて行われる。
【００１３】
本発明の有利な実施形態では、照明装置は、照明制御装置によって調節可能であり、それも光送出量が、特に実質的に継続的または一部で継続的に、使用者と近接センサとの間の距離に応じて変化するように、調節可能である。このことは有利には、使用者と近接センサとの間の距離が距離制限値を下回る場合にしか行われない。
【００１４】
たとえば照明装置から送出される光の出力ＰＬは、関係式；
【数１】
2008513268.tif 000003
に応じて調節することができ、この場合ｄは、使用者と近接センサとの間の距離であり、ｄＧは、距離制限値であり、ＰＬｍａｘは、照明装置から最大送出される光の出力であり、ＰＬｍｉｎは、関係式；
【数２】
2008513268.tif 000004
に応じた値である。
【００１５】
たとえば照明装置から送出される光の出力ＰＬは、関係式；
【数３】
2008513268.tif 000005
に応じて調節することもできる。
【００１６】
本発明の有利な実施形態では、距離制限値は、主に５ｃｍ〜１５ｃｍ、特に１０ｃｍ〜１５ｃｍである。
【００１７】
本発明の有利な実施形態では、操作エレメントは、回転つまみ、キー、パワーウインド、ドアロック解除部、ドアグリップ、安全ベルト解除部、安全ベルトバックル、ペダル、シフトレバー、スイッチ、調節可能な吹出口および／またはイグニションコイルを備えている。
【００１８】
さらに前述の課題を解決する装置によれば、特に操作エレメントを押す、操作エレメントを触る、操作エレメントを回す、かつ／または操作エレメントを引くことによって、自動車の機能を操作するための、前述の操作エレメントを備えた自動車において、操作エレメントに、操作エレメントを照明するための照明装置と、操作エレメントの使用者の接近を検出するための近接センサと、近接センサの出力信号に応じて操作エレメントの照明を調節するための照明制御装置とが対応配置されている。
【００１９】
本発明の有利な実施形態では、照明装置は、照明制御装置によって、自動車の運転状況に応じて制御可能である。
【００２０】
本発明の有利な実施形態では、特に自動車の現行の運転状況に基づいて操作エレメントの操作が許容される場合、照明装置は、前述の実施形態に応じて操作可能である。
【００２１】
本発明の有利な実施形態によれば、照明装置によって、自動車の運転状況に応じて、異なる少なくとも２つの色で光が形成可能である。
【００２２】
本発明の有利な実施形態では、自動車は、操作エレメントを示唆するための指示照明装置と、指示照明装置に対する使用者の接近を検出するための、指示照明装置に対応配置された近接センサとを備えており、この場指示照明装置は、特に照明制御装置または別の照明制御装置によって、指示照明装置に対応配置された近接センサの出力信号に応じて制御可能である。
【００２３】
本発明の有利な実施形態では、指示照明装置または指示照明装置の一部は、操作エレメントから約１０ｃｍ以上離して配置されている。
【００２４】
本発明の有利な実施形態では、指示照明装置に対応配置された近接センサは、操作エレメントから約１０ｃｍ以上離して配置されている。
【００２５】
光送出は、本発明では、点滅する光も含むものとする。
【００２６】
本発明における自動車は、特に交通道路で個人的に使用される陸上車両を意味しているが、特に内燃機関を備えた陸上車両に制限するものではない。
【００２７】
その他の利点および詳細については、以下の実施例の説明から理解することができる。
【００２８】
図１には、自動車１の１実施例の内部を示した。自動車１は、図２に詳しく示した、自動車１の様々な機能を操作するための、センタコンソール２に配置された操作エレメント３を備えており、この場合操作は特にモニタ７に関して行われる。操作エレメント３は、図２に示した実施例では、回転つまみ１０と、回転つまみ１０の傍に配置されたキー１１，１２，１３，１４，１５，１６，１７，１８とを備えている。
【００２９】
操作エレメント３に、操作エレメント３を照明（点灯）するための照明装置２１が対応配置されている。そのような照明装置２１は、たとえば単数の照明エレメント、たとえばＬＥＤを備えるか、または（分配配置された）複数の照明エレメントを備えていてよい。したがって照明装置は、本発明では、単数または複数の照明エレメントを備えていてよい。複数の照明エレメントは、場合によっては分配配置するか、もしくは個別配置することができる。照明装置２１は、図２に示したように、操作エレメント３の下方に配置することができる。照明装置２１は、選択的または追加的に操作エレメント３の傍に配置することができる。照明装置２１は、操作エレメント３を照明できるように、たとえばルーフ内張に配置してもよい。
【００３０】
操作エレメント３に、追加的に操作エレメント３もしくは近接センサ２２に対する操作エレメント３の使用者４の接近を検出するための近接センサ２２と、接近センサ２２の出力信号２４に応じて照明装置２１ひいては操作エレメント３の照明を調節するための照明制御装置２０とが対応配置されている。
【００３１】
有利な実施例では、近接センサ２２は、カバー２３の下方に配置されており、カバー２３は、赤外線にとって透過性でかつ可視範囲の光にとって非透過性である。特に適した近接センサは、文献「"Ｅｌｅｋｔｒｏｎｉｋｋｏｎｚｅｐｔ  ｅｒｆｕｅｌｌｔ  Ｏｐｔｉｋｓｅｎｓｏｒｔｒａｅｕｍｅ"  ｖｏｎ  Ｆ．Ｒｏｔｔｍａｎｎ  ｕｎｄ  Ｅ．Ｓｐｉｅｇｅｌ，Ｅｌｅｋｔｒｏｎｉｋ，２９．１０．２００２」に記載のＥＬＭＯＳ社の距離センサＨＡＬＩＯＳである。センサの詳細については、インターネットホームページ
ｗｗｗ．ｅｌｍｏｓ．ｄｅ／ｅｌｍｏｓ／ｇｅｒｍａｎ／ｐｒｏｄｕｃ／ｈａｌｉｏｓ．ｈｔｍ
を参照されたい。近接センサ２２は、単数のセンサまたは個別配置された複数のセンサを備えている。したがって本発明では、近接センサは、単数または複数のセンサを備えることができる。
【００３２】
照明装置および／または近接センサは、回転つまみ１０および／またはキー１１，１２，１３，１４，１５，１６，１７，１８に組み込まれるようにすることができる。
【００３３】
図３に示した照明制御装置２０の考えられる実施例では、近接センサ２２と使用者４との間の距離ｄが距離制限値ｄＧを下回ることによって、照明装置２１はスイッチオン可能である。ここではＰＬｍａｘは、照明装置２１から最大送出される光の出力を意味している。近接センサ２２と使用者４との間の距離ｄが、距離制限値ｄＧよりも大きくなると、有利には照明装置２１がスイッチオフされる。好ましくは、このことは有利には１ｓ〜１０ｓの待機時間が経過したあとではじめて行われる。
【００３４】
図４に示した照明制御装置２０の選択的な実施例では、照明装置２１は、近接センサ２２と使用者４との間の距離ｄが距離制限値ｄＧを下回ることによって、光送出量を高めて調節可能である。この場合照明装置２１は、たとえばヘッドライトのスイッチオンされた状態で、出力ＰＬｍｉｎで弱く照明する。使用者４が距離制限値ｄＧよりも近接センサ２２に接近すると、照明装置２１は、照明制御装置２０の適当な操作によって比較的明るく照明する。近接センサ２２と使用者４との距離ｄが距離制限値ｄＧよりも大きくなると、有利には、照明装置２１は、以前の低減された出力ＰＬｍｉｎの光送出量に調節される。好ましくは、このことは有利には１ｓ〜１０ｓの待機時間が経過したあとではじめて行われる。
【００３５】
照明制御装置２０の別の選択的な実施例では、照明装置２１は、次のように調節可能であり、つまり光送出量が、特に継続的または一部で継続的に使用者４と近接センサ２２との間の距離ｄに応じて変化するように、調節可能である。このことは、有利には距離ｄが距離制限値ｄＧよりも小さな場合だけ行われる。したがってたとえば照明装置２１から送出される光の出力ＰＬは、関係式；
【数４】
2008513268.tif 000006
に応じて調節できるようにすることができる。
【００３６】
たとえば照明装置２１から送出される光の出力ＰＬは、関係式；
【数５】
2008513268.tif 000007
に応じて調節できるようにすることもできる。
【００３７】
たとえば照明装置２１から送出される光の出力ＰＬは、図５に示した関係または図６に示した関係にしたがって調節できるようにすることもでき、この場合ｄＧ２は、別の距離制限値である。
【００３８】
距離制限値ｄＧは、有利には主に１０ｃｍ〜１５ｃｍである。別の距離制限値ｄＧ２は、有利には主に２ｃｍ〜５ｃｍである。
【００３９】
追加的に自動車１には、選択的に本実施例では照明可能な指示矢印として形成された、操作エレメント３を指し示す指示照明５と、指示照明５もしくは接近センサ６に対する使用者４の接近を検出するための、指示照明５に対応配置された近接センサ６とが設けられている。指示照明５は、照明制御装置２０または別の照明制御装置によって、指示照明５に対応配置された近接センサ６の出力信号に応じて、照明装置２１と同様の形式で制御可能である。照射可能な指示矢印として形成された本実施例の代わりに、指示照明５は、ランニングライト（Lauflicht；移動点滅表示灯）または指示特性を有する別の照明エレメントとして形成することもできる。
【００４０】
図７には、自動車１における、選択的に操作エレメント３と同様の形式で近接制御式に照明することのできる様々な操作エレメントの実施例を示した。図７には、符号３１で表示制御装置を示しており、表示制御装置３１は、バスシステム３２によって、データ技術的に車両制御装置３３、ナビゲーションシステム３４、空調装置３５、電話３６ならびに情報娯楽システム３７と接続されていて、かつモニタ７を用いて、操作エレメント３を操作することにより制御することができる。モニタ７および操作エレメント３によって、ナビゲーションシステム３４、空調装置３５、電話３６および情報娯楽システム３７を操作することができる。
【００４１】
照明制御装置２０の代わりに、本実施例では、近接センサ２２の出力信号２４に応じて照明装置２１ひいては操作エレメント３の照明を調節するための照明制御装置１２０が対応配置されており、この場合回転つまみ１０および各キー１１，１２，１３，１４，１５，１６，１７，１８に独自の照明装置が対応配置されている。この場合回転つまみ１０および個々のキー１１，１２，１３，１４，１５，１６，１７，１８は、モニタ７に表示されるメニューに基づいて操作が許容される場合にしか（場合によっては強調して）、照明できないようになっている。このために照明制御装置１２０は、データ技術的に表示制御装置３１と接続されている。
【００４２】
図１および図７において、符号３０でシフトレバーを示した。シフトレバー３０に、照明制御装置２０に相当する照明制御装置２９、近接センサ２２に相当する近接センサ（図示していない）ならびに照明装置２１に相当する照明装置（図示していない）を対応配置することができる。
【００４３】
図７において、ドア４０に存在するウインド４２を上下移動するための、ドア４０に配置されたパワーウインドを符号４１で示した。パワーウインド４１に、照明制御装置２０に相当する照明制御装置４４、近接センサ２２に相当する近接センサ（図示していない）ならびに照明装置２１に相当する照明装置（図示していない）が対応配置されている。
【００４４】
図７において、符号４３でドアロック解除部を示した。ドアロック解除部４３に、照明制御装置１２０に相当する照明制御装置４５、近接センサ２２に相当する近接センサ（図示していない）ならびに照明装置２１に相当する照明装置（図示していない）を対応配置することができる。この場合ドアロック解除部４３の図示していない照明装置は、図示していない近接センサの出力信号に応じて、かつ自動車１の運転状況に応じて制御可能である。このために照明装置４５は、データ技術的に車両制御装置３３と接続されている。たとえばドアロック解除部４３の照明装置は、ドア４０の開放が許容される場合、要するにたとえば停止状態にしか、使用者４の接近時に光送出量を変化できないようにすることができる。ドア４０の、図示していないドアグリップは、ドアロック解除部４３と同様の形式で照明可能である。
【００４５】
図１および図７において、符号５０でイグニションスイッチを示した。イグニションスイッチ５０に、照明制御装置１２０に相当する照明制御装置５１、近接センサ２２に相当する近接センサ（図示していない）ならびに照明装置２１に相当する照明装置（図示していない）を対応配置することができる。この場合イグニションスイッチ５０の、図示していない照明装置は、図示していない近接センサの出力信号および自動車１の運転状況に応じて制御可能である。このために照明制御装置５１は、データ技術的に車両制御装置３３と接続されている。たとえば使用者４がイグニションキーの差し込まれた状態でイグニションスイッチ５０に接近して、シフトレバー３０が「Ｐ」の位置に存在しない場合、イグニションスイッチ５０の照明装置は赤く点灯するようにすることができる。たとえば選択的または追加的に、イグニションキーの差し込まれた状態で作業員４がイグニションスイッチ５０に接近して、シフトレバー３０が「Ｐ」の位置に存在し、かつ／またはイグニションキーが差し込まれていない場合、イグニションスイッチ５０の照明装置は緑色に点灯するようにすることができる。
【００４６】
図１および図７において、符号６０，６５で安全ベルトバックルを示した。安全ベルトバックル６０，６５もしくは安全ベルトロック解除部６１に、照明制御装置１２０に相当する照明制御装置６２、近接センサ２２に相当する近接センサ（図示していない）ならびに照明装置２１に相当する照明装置（図示していない）を対応配置することができる。この場合安全ベルトバックル６０，６５もしくは安全ベルトロック解除部６１の図示していない照明装置は、図示していない近接センサの出力信号および自動車１の運転状況に応じて制御可能である。このために照明制御装置６２は、データ技術的に車両制御装置３３と接続されている。たとえば安全ベルトバックル６０，６５もしくは安全ベルトロック解除部６１の照明装置は、自動車１のエンジンが停止した状態で、使用者４が接近すると光送信量を変化するようにすることができる。
【００４７】
図１および図７において、符号７０，７２でペダルを示した。ペダル７０，７２に、照明制御装置２０に相当する照明制御装置７１、近接センサ２２に相当する近接センサ（図示していない）ならびに照明装置２１に相当する照明装置（図示していない）を対応配置することができる。
【００４８】
図１および図７において、符号９０で吹出口を示した。吹出口９０に、照明制御装置２０に相当する照明制御装置９１、近接センサ２２に相当する近接センサ（図示していない）ならびに照明装置２１に相当する照明装置（図示していない）を対応配置することができる。
【００４９】
図１および図７において、符号９２でライトスイッチを示した。ライトスイッチ９２に、照明制御装置２０に相当する照明制御装置９３、近接センサ２２に相当する近接センサ（図示していない）ならびに照明装置２１に相当する照明装置（図示していない）を対応配置することができる。
【００５０】
パワーウインド４１、ドアロック解除部４３、安全ベルト解除部６１もしくは安全ベルトバックル６０，６５、ペダル７０，７２、吹出口９０，ライトスイッチ９２およびイグニションスイッチ５０は、たとえば請求項に記載した操作エレメントの例を成している。
【００５１】
さらにトレイ、フットスペース７５および／または小物入れ（グローブボックス）８０に、照明制御装置２０に相当する照明制御装置、近接センサ２２に相当する近接センサ（図示していない）ならびに照明装置２１に相当する照明装置（図示していない）を対応配置することができる。
【図面の簡単な説明】
【００５２】
【図１】自動車の１実施例を内側から見た図である。
【図２】自動車のための操作エレメントの１実施例を示す図である。
【図３】照明装置から送出される光の出力と、使用者と近接センサとの間の距離との間の関係を示す図である。
【図４】照明装置から送出される光の出力と、使用者と近接センサとの間の距離との間の別の関係を示す図である。
【図５】照明装置から送出される光の出力と、使用者と近接センサとの間の距離との間の別の関係を示す図である。
【図６】照明装置から送出される光の出力と、使用者と近接センサとの間の距離との間の別の関係を示す図である。
【図７】自動車の様々な操作エレメントの実施例を示す図である。
【符号の説明】
【００５３】
１  自動車、  ２  センタコンソール、  ３  操作エレメント、  ４  使用者、  ５  指示照明、  ６，２２  近接センサ、  ７  モニタ、  １０  回転つまみ、  １１，１２，１３，１４，１５，１６，１７，１８，２９，４４，４５，５１，６２，７１，９１，９３  キー、  ２０，１２０  照明制御装置、  ２１  照明装置、  ２３  カバー、  ２４  出力信号、  ３０  シフトレバー、  ３１  表示制御装置、  ３２  バスシステム、  ３３  車両制御装置、  ３４  ナビゲーションシステム、  ３５  空調装置、  ３６  電話、  ３７  情報娯楽システム、  ４０  ドア、  ４１  パワーウインド、  ４２  ウインド、  ４３  ドアロック解除部、  ５０  イグニションスイッチ、  ６０，６５  安全ベルトバックル、  ６１  安全ベルトロック解除部、  ７０，７２  ペダル、  ７５  フットスペース、  ８０  グローブボックス、  ９０  吹出口、  ９２  ライトスイッチ、  ｄ  距離、  ｄＧ，ｄＧ２  距離制限値、  ＰＬ，ＰＬｍａｘ，ＰＬｍｉｎ  出力
【図１】
2008513268.tif 000008
【図２】
2008513268.tif 000009
【図３】
2008513268.tif 000010
【図４】
2008513268.tif 000011
【図５】
2008513268.tif 000012
【図６】
2008513268.tif 000013
【図７】
2008513268.tif 000014
【国際調査報告】
2008513268.tif 000015
2008513268.tif 000016
2008513268.tif 000017
2008513268.tif 000018